(57)【要約】      （修正有）【課題】買物用の手さげ袋において、購入品を覆い隠したり購入品の種類に応じ同購入品を上下に区分けしたりできるように水平に展張しうるカバーを備えながら、同カバーの不使用時には同カバーを袋内で下方へ垂下させるように折り畳み可能にして、大型の購入品の収容も行えるようにしたカバー付き買物用手さげ袋を提供する。【解決手段】上部に開口１を具えるとともに、手さげ用の取っ手２，２を具えた買物用手さげ袋３が、折り畳み可能のシートにより形成され、その内壁の上縁部や中間部には、手さげ袋３の内部に収容する購入品を覆い隠したり水平に仕切ったりするためのシートとしてのカバーＫ，４が、不使用時には袋内で下方へ垂下できるように、一側４ａを手さげ袋３の内壁に取り付けられている。また、手さげ袋３の内部には、同手さげ袋３の不使用時に同手さげ袋３を折り畳んで収納しうる小袋５のためのポケットのごとき小袋収納部６が設けられる。【選択図】図１
0003134688.tif 000002
【実用新案登録請求の範囲】
【請求項１】
上部に開口を有するとともに、手さげ用の取っ手を具えた手さげ袋が、折り畳み可能のシートにより形成されており、同手さげ袋の内壁の上縁部に一側を取り付けられて水平に展張しうるカバーも、折り畳み可能のシートにより形成されていることを特徴とする、カバー付き買物用手さげ袋。
【請求項２】
上記カバーの取り付け位置から下方へ離隔した位置で上記内壁に対向する第２の内壁に一側を取り付けられて水平に展張しうる第２のカバーが設けられており、同第２のカバーも、折り畳み可能のシートにより形成されていることを特徴とする、請求項１に記載のカバー付き買物用手さげ袋。
【請求項３】
上記手さげ袋を折り畳んで収納しうる小袋を備え、同小袋から上記手さげ袋を取り出し展張して使用する際に不要となった同小袋を収納するための小袋収納部が、上記手さげ袋に設けられていることを特徴とする、請求項１または２に記載のカバー付き買物用手さげ袋。
【請求項４】
上記手さげ袋に、第２の手さげ袋を折り畳んで収納しうる小物入れが装着されていることを特徴とする、請求項１〜３のいずれか１つに記載のカバー付き買物用手さげ袋。
【考案の詳細な説明】
【技術分野】
【０００１】
本考案は、手さげ袋に関し、特にスーパーマーケットやコンビニエンスストアなどで買物をする際に、購入した食料品や日用品などを収納するのに適したカバー付き買物用手さげ袋に関する。
【背景技術】
【０００２】
一般に、スーパーマーケットなどで買物をする場合、商品を会計場所（レジ）へ持参して支払いをすませると、商品収納用の手さげ袋（レジ袋）を与えられて、同レジ袋に商品を収納し持ち帰ることが行われており、このため莫大な数量のレジ袋が消費されている。
そこで、スーパーマーケットなどでの買物の際にも簡便に使用できるようにした買物用かばんの開発が行われているが、持ち運びの際に嵩張って不便を生じるという不具合がある。
また、買物の際に、購入品の種類に応じ袋内で区分けを必要とする場合に備えて、買物袋の内部に上下方向の仕切を設けるようにした仕切付き買物袋も開発されているが、このような上下方向の仕切が常設されていると、単一の大型商品を収容する場合は同仕切が邪魔になるという不具合がある。、
さらに、手さげ袋に収容した購入品については、プライバシーの観点から、目隠しを施されることが望まれている。
【特許文献１】登録実用新案第３１０６７２４号公報
【特許文献２】特開２００６−２２３７９７号公報
【考案の開示】
【考案が解決しようとする課題】
【０００３】
本考案は、買物用の手さげ袋において、その上部に目隠しとなるカバーを備え、購入品の種類に応じ同購入品を上記カバーにより上下に区分けすることも可能にしながら、同カバーの不使用時には同カバーを袋内で下方へ垂下させるように折り畳み可能にして、大型の購入品の収容も行えるようにしたカバー付き買物用手さげ袋を提供することを課題とする。
【課題を解決するための手段】
【０００４】
前述の課題を解決するため、本考案のカバー付き買物用手さげ袋は、上部に開口を有するとともに、手さげ用の取っ手を具えた手さげ袋が、折り畳み可能のシートにより形成されており、同手さげ袋の内壁の上縁部に一側を取り付けられて水平に展張しうるカバーも、折り畳み可能のシートにより形成されていることを特徴としている。
【０００５】
また、本考案のカバー付き買物用手さげ袋は、上記カバーの取り付け位置から下方へ離隔した位置で上記内壁に対向する第２の内壁に一側を取り付けられて水平に展張しうる第２のカバーが設けられており、同第２のカバーも、折り畳み可能のシートにより形成されていることを特徴としている。
【０００６】
さらに、本考案のカバー付き買物用手さげ袋は、同手さげ袋を折り畳んで収納しうる小袋を備え、同小袋から上記手さげ袋を取り出し展張して使用する際に不要となった同小袋を収納するための小袋収納部が、上記手さげ袋に設けられていることを特徴としている。
【０００７】
また、本考案のカバー付き買物用手さげ袋は、同手さげ袋に、第２の手さげ袋を折り畳んで収納しうる小物入れが装着されていることを特徴としている。
【考案の効果】
【０００８】
上述の本考案のカバー付き買物用手さげ袋では、手さげ袋全体が折り畳み可能のシートにより形成されているため、コンパクトに折り畳んだ状態で簡便に持ち運ぶことが可能であり、使用に際しては展張状態として上部の開口を通じ購入品を収容してから、同購入品の上面を覆い隠すように内壁付きのシートとしての上記カバーを水平に展張させ、プライバシーを保持することができる。
【０００９】
また、上記手さげ袋の内部で、相互に直接接触させたくない購入品どうしを、上記カバーで水平に仕切るようにして安全に収容することも可能になる。
【００１０】
さらに、大型の購入品を収容する場合は、上記カバーを袋内で下方へ垂下させたまま、手さげ袋の内部全体のみならず、その上方のスペースまで有効に利用して、同購入品を支障なく収容できるようになる。
【００１１】
また、上記カバーの手さげ袋内壁への取り付け位置から下方へ離隔した位置で、同内壁と対向する第２の内壁に一側を取り付けられて水平に展張しうる第２のカバーが、折り畳み可能のシートとして形成されていると、同第２のカバーで上記手さげ袋内の複数の購入品の相互間を水平に仕切るようにしながら、各購入品を上記手さげ袋の内部で十分に整理された状態で安全に収容できるようになる。
【００１２】
そして、不使用時には上記手さげ袋を折り畳んで収納しうる小袋を備え、同小袋から上記手さげ袋を取り出し展張して使用する際に、不要となった同小袋を収容するための小袋収納部が、上記手さげ袋の内部に設けられていると、上記小袋の不使用時に同小袋の紛失を未然に防止することが可能になる。
【００１３】
また、上記手さげ袋に、第２の手さげ袋を折り畳んで収納しうる小物入れが装着されることにより、買物の数量が多い場合でも、上記第２の手さげ袋まで利用することによって手際よく対処できるようになる。
【実施例】
【００１４】
図１は本考案の一実施例としてのカバー付き買物用手さげ袋を斜め上側方からみた見取り図、図２は上記カバー付き買物用手さげ袋に購入品を収容した状態を示す横断面図、図３は上記カバー付き買物用手さげ袋の変形例を示す横断面図である。
【００１５】
図１に示すように、上部に開口１を有するとともに、手さげ用の一対の取っ手２，２を具えた手さげ袋３が、折り畳み可能の薄くて丈夫な繊維製シートにより形成されており、同手さげ袋３の内壁３ａの上縁部には、水平に展張可能で、しかも折り畳み可能のシートとしてのカバーＫの一側Ｋａが取り付けられている。
【００１６】
また、上記内壁３ａに対向する内壁３ｂ（図２参照）の中間部には、折り畳み可能のシートにより形成された第２のカバー４が設けられ、図１，２に示すごとくその上側４ａを内壁３ｂに取り付けられている。
すなわち、カバー４は、不使用状態では上側４ａで折り畳まれるようにして下方へ垂下するように設けられている。
【００１７】
また、手さげ袋３の不使用時には同手さげ袋３を小さく折り畳んで収納しうる小袋５が備えられており、同小袋５の上部開口にはチャック５ａが装着されている。
そして、小袋５から手さげ袋３を取り出して使用する際には不要となった同小袋５を紛失しないように収納するためのポケット状の小袋収納部６が、手さげ袋３の内側に設けられている。なお、ポケット状の小袋収納部６の代わりに、小袋５を横長に細長く折り畳んで水平に挿入できるようにしたリング状の小袋収納部を設けるようにしてもよい、
【００１８】
上述の本実施例のカバー付き買物用手さげ袋では、手さげ袋３の全体が折り畳み可能のシートにより形成されているため、コンパクトに折り畳んだ状態で小袋５に収納して簡便に持ち運ぶことが可能であり、使用に際しては図１，２に示すように展張状態として、図１に示す上部の開口１を通じ図２に示す食料品などの第１の購入品７〜１３を収容してから、同購入品の上部を覆うように内壁付きのシートとしてのカバー４を水平に展張させ、その上部に繊維製品などの第２の購入品14〜17を積み重ねるように収容することができる。
【００１９】
このようにして、相互に直接接触させたくない購入品どうしを、水平な第２のカバー４で区画するようにして安全に収容することが可能になる。
そして、最上部の購入品17については、上部のカバーＫを水平に展張して覆い隠すことができ、このようにして購入品についてのプライバシーを保つことができる。なお、第２のカバー４が設けられていない場合でも、カバーＫのサイズ（下方への長さ）を大きくしておくことにより、同カバーＫを用いて購入品の相互間を仕切ったり、最上部の購入品の上面を覆い隠したりすることが可能になる。
【００２０】
また、大型の購入品を収容する場合は、各カバー４，Ｋを下方へ垂下させたまま、手さげ袋３の内部全体のみならず、その上方のスペースまで有効に利用して、同購入品を支障なく収容できるようになる。
【００２１】
そして、不使用時には手さげ袋３を折り畳んで収納しうる小袋５を備えているので、手さげ袋３のみの携帯は簡便に行われ、また、同小袋５から手さげ袋３を取り出し展張して使用する際には、同小袋５を収容するための小袋収納部６が、手さげ袋３の内部に設けられているので、小袋５の不使用時に同小袋５の紛失を未然に防止することが可能になる。
【００２２】
図３は図１，２に示したカバー付き買物用手さげ袋の変形例を示しており、この変形例の場合も、上部に開口１を有するとともに、手さげ用の一対の取っ手２，２を具えた手さげ袋３が、折り畳み可能のシートにより形成されて、同手さげ袋３の内壁３ａの上縁部には、一側Ｋａを取り付けられて水平に展張可能のカバーＫが設けられているが、さらにカバーＫよりも低い位置で同じ内壁３ａに上縁部４ａを取り付けられた折り畳み可能のシートとしてのカバー４が設けられている。
【００２３】
そして、両カバーＫ，４の中間部には、対向する内壁３ａにおいて折り畳み可能のシートにより形成されたカバー20が、その上側20ａを取り付けられている。
このようにして、各カバーＫ，４、20は、不使用状態では上側Ｋａ，４ａ，20ａで折り畳まれるようにして下方へ垂下するように設けられている。
【００２４】
また、この変形例の場合も、手さげ袋３の不使用時には同手さげ袋３を小さく折り畳んで収納しうる小袋５が備えられており、同小袋５の上部開口にはチャック５ａが装着されている。
【００２５】
そして、小袋５から手さげ袋３を取り出して使用する際には同小袋５を紛失しないように収納するためのポケットとしての小袋収納部６が、手さげ袋３の内側に設けられている。なお、この場合も、小袋５の収納部として、小袋５を細長く折り畳んで挿入しうるリング状の収納部を設けるようにしてもよい。
【００２６】
また、この手さげ袋３には、第２の手さげ袋を折り畳んで収納しうる小物入れ21が装着されている。
【００２７】
上述の変形例では、前述の図１，２に示す実施例と同様の効果が得られるほか、カバー４の内壁３ａへの取り付け位置４ａから上方へ離隔した位置で、同内壁３ａと対向する第２の内壁３ｂに一側20ａを取り付けられて水平に展張しうるカバー20が、折り畳み可能のシートとして形成されているので、購入品を手さげ袋の内部で３段階に仕切ることが可能になり、しかも最上部の購入品についてはカバーＫにより目隠しされるように覆うことが可能になる。
【００２８】
そして、この変形例の場合も、手さげ袋３を折り畳んで収納しうる小袋５を備え、同小袋５から手さげ袋３を取り出し展張して使用する際に、同小袋５を収容するためのポケット（またはリング状の挿し込み部）としての小袋収納部６が、手さげ袋３の内部に設けられているので、小袋５の不使用時に同小袋５の紛失を未然に防止することが可能になる。
【００２９】
また、手さげ袋３に、図示しない第２の手さげ袋を折り畳んで収納しうる小物入れ21が装着されることにより、買物の数量が多い場合でも、上記第２の手さげ袋まで利用することによって手際よく対処できるようになる。
【図面の簡単な説明】
【００３０】
【図１】本考案の一実施例としてのカバー付き買物用手さげ袋を斜め上側方からみた見取り図である。
【図２】図１のカバー付き買物用手さげ袋に購入品を収容した状態を示す横断面図である。
【図３】上記カバー付き買物用手さげ袋の変形例を示す横断面図である。
【符号の説明】
【００３１】
１  開口
２  取っ手
３  手さげ袋
３ａ  内壁
３ｂ  第２の内壁
４  第２のカバー
４ａ  第２のカバーの上側
５  小袋
５ａ  チャック
６  小袋収納部
７〜13  第１の購入品
14〜17  第２の購入品
20  カバー
20ａ  カバーの上側
21  小物入れ
Ｋ  カバー
【図１】
0003134688.tif 000003
【図２】
0003134688.tif 000004
【図３】
0003134688.tif 000005